(57)【特許請求の範囲】
【請求項１】
顧客端末と、カード決済が可能な店舗のＰＯＳ端末と、カード決済管理サーバとが接続されたカード決済システムであって、
前記顧客端末は、
顧客が保有する複数のカードの情報を登録するカード情報登録手段と、
前記店舗において前記登録されたカードを利用して商品又はサービスの購入代金を支払う際に、前記ＰＯＳ端末と通信可能なＰＯＳ端末通信手段と、を備え、
前記ＰＯＳ端末は、
前記顧客端末から前記登録された複数のカードのカード情報を取得するカード情報取得手段と、
前記顧客の購入情報を前記カード決済管理サーバに送信する手段と、を備え、
前記カード決済管理サーバは、
複数のカード会社から、前記店舗で現時点において購入した場合の特典情報を前記カードごとに取得する顧客カード特典情報取得手段と、
前記取得した特典情報及び前記カードを利用した際の、今回の利用で獲得可能な獲得ポイント数、今回の決済時に利用可能なポイント数、今回の利用で適用される割引率、次回以降で利用可能な割引額、前記カードとは別のクーポンの利用又は電子マネーの利用による割引のうち、前記顧客が設定した優先事項に基づいて、前記カードの優先順位を判定する優先順位判定手段と、
前記顧客端末は、前記優先順位判定手段が判定した前記優先順位を前記カードごとに表示し、前記店舗での決済に用いるカードを前記顧客に選択させるカード選択手段と、を備え、
前記カード選択手段は、前記選択されたカードの情報を含む購入情報を２次元バーコードで前記顧客端末の画面に表示させ、前記画面を前記ＰＯＳ端末にかざすことで決済を行うことを特徴とするカード決済システム。
【請求項２】
前記優先順位判定手段は、前記顧客が優先事項に優先カードを設定している場合、前記優先カードの優先順位を、特典情報に関わらず、判定することを特徴とする請求項１に記載のカード決済システム。
【請求項３】
店舗においてカードで決済を行う顧客が携帯する顧客端末のカード決済プログラムであって、
前記顧客端末を、
前記顧客が保有する複数のカードの情報を登録するカード情報登録手段、
前記店舗において前記登録されたカードを利用して商品又はサービスの購入代金を支払う際に、前記店舗のＰＯＳ端末と通信可能なＰＯＳ端末通信手段、
複数のカード会社のサーバから、現時点で前記店舗において購入した場合の特典情報を、前記ＰＯＳ端末を介して前記カードごとに取得する顧客カード特典情報取得手段、
前記取得した特典情報及び前記カードを利用した際の、今回の利用で獲得可能な獲得ポイント数、今回の決済時に利用可能なポイント数、今回の利用で適用される割引率、次回以降で利用可能な割引額、前記カードとは別のクーポンの利用又は電子マネーの利用による割引のうち、前記顧客が設定した優先事項に基づいて、前記カードの優先順位を判定する優先順位判定手段、
前記優先順位判定手段が判定した前記優先順位を前記カードごとに表示し、前記店舗での決済に用いるカードを前記顧客に選択させるカード選択手段、
前記カード選択手段は、前記選択されたカードの情報を含む購入情報を２次元バーコードで前記顧客端末の画面に表示させ、前記画面を前記ＰＯＳ端末にかざすことで決済を行う手段、
として機能させることを特徴とするカード決済プログラム。
【請求項４】
複数のカードを利用する顧客が所持する顧客端末と、カード決済管理サーバとが接続されたカード決済システムであって、
前記顧客端末は、
前記顧客が保有する前記複数のカードの情報を登録するカード情報登録手段と、
前記カード決済管理サーバと通信可能なカード決済管理サーバ通信手段と、
を備え、
前記カード決済管理サーバは、
前記顧客端末と通信可能な顧客端末通信手段と、
複数のカード会社と通信可能なカード会社通信手段と、
前記複数のカード会社から、現時点において店舗で購入した場合の特典情報を顧客のカードごとに取得する顧客カード特典情報取得手段と、
を備え、
前記顧客端末は、
前記顧客カード特典情報取得手段が取得した特典情報及び前記カードを利用した際の、今回の利用で獲得可能な獲得ポイント数、今回の決済時に利用可能なポイント数、今回の利用で適用される割引率、次回以降で利用可能な割引額、前記カードとは別のクーポンの利用又は電子マネーの利用による割引のうち、前記顧客が設定した優先事項に基づいて、前記カードの優先順位を判定して前記カードごとに表示し、前記店舗での決済に用いるカードを前記顧客に選択させるカード選択手段を備え、
前記カード選択手段は、前記選択されたカードの情報を含む購入情報を２次元バーコードで前記顧客端末の画面に表示させ、前記画面を前記店舗のＰＯＳ端末にかざすことで決済を行うことを特徴とするカード決済システム。
【発明の詳細な説明】
【技術分野】
【０００１】
本発明は、カード決済のためのシステムに関する。
【背景技術】
【０００２】
近年、クレジットカードの保有が増加している。最近の調査によれば、消費者のクレジットカードの保有率が８６％、保有枚数は平均３枚に達している。また、インターネットを使った商品やサービスの購入の増加により、消費者の生活費に占めるクレジットカード利用割合が３０％超に増加している。消費者は、よりお得に買い物をするために、複数のクレジットカードを使い、少しでも有利な特典を取得したいという傾向がある。例えば、クレジットカードの利用理由には、ポイントやマイルが貯まりやすいからといった理由が５３．９％に達している。
【０００３】
しかし、どのクレジットカードを使えばよりお得な買い物ができるかは消費者の判断にゆだねられている。そのため、最適なクレジットカードを選択するための方法やシステムが提案されている。例えば、特許文献１には、顧客の代表カードに関連付けられているクレジットカードの中から顧客が利用したサービスの決済に最適なクレジットカードを顧客に提示し、選択されたクレジットカードを用いて決済するための決済情報をオンラインカードシステムに送信するカード決済支援方法が開示されている。また、特許文献２には、クレジットカードの決済時に一括して適用可能なクーポンを適用して割引額をキャッシュバックするクーポンサービスにおいて、キャッシュバック額が最大となるような好適な組合せでクーポンを適用するクーポン管理システムが開示されている。
【先行技術文献】
【特許文献】
【０００４】
【特許文献１】特開２００９−９３３８０号公報
【特許文献２】特開２０１５−５２８８５号公報
【発明の概要】
【発明が解決しようとする課題】
【０００５】
しかしながら、特許文献１に記載の方法では、顧客が保有する代表カードに関連付けられたカードの中から、商取引の利用金額に応じたポイントを算出し、各カードのポイント一覧を表示して、顧客に最適なカードを選択させるにとどまっている。また、特許文献２の記載のシステムでは、クーポンのキャッシュバック額が最大となるようなクーポンの組合せを提示するにとどまっている。
【０００６】
今日、クレジットカードの特典には、商品やサービスの購入時にあらかじめ定められたポイントやクーポンを付与する以外に、地域、加盟店、購入金額、購入日等の様々な要素に応じて特典を変化させるもの、顧客のクレジットカードのランクやカード利用履歴に応じて特典を変化させるもの、購入時（決済時）でなくカード利用金額の請求時（清算時）に特典を付与するもの等が存在し、ポイントやクーポンの単純な比較だけでは最適なカードを選択できるとは限らない。また、顧客によっては、特典にはそれほどこだわらず、できるだけ一つのカードで買い物を済ませたいと考える場合や使用目的や店舗によってカードを使い分けたいと考える場合もある。したがって、上記のような様々な場合においても、優先事項を定め柔軟に最適なカードを選択できるカード決済方法が求められている。また、複数のカードを保有している顧客は、多くのカードを持ち歩くのは避けたいという要求もある。
【０００７】
したがって、本発明では、上記のような課題に鑑み、複数のカードを携帯する必要がなく、カードでの決済時に、購入場所、購入日時、購入金額、顧客の定めた優先事項に応じて、決済に最適なカードを顧客に提案する手段を提供することを目的とする。
【課題を解決するための手段】
【０００８】
上記課題を解決するため、本発明は、以下のような解決手段を提供する。
【０００９】
本発明の第１の態様は、顧客端末と、カード決済が可能な店舗のＰＯＳ端末と、カード決済管理サーバとが接続されたカード決済システムであって、前記顧客端末は、顧客が保有する複数のカードの情報を登録するカード情報登録手段と、前記店舗において前記登録されたカードを利用して商品又はサービスの購入代金を支払う際に、前記ＰＯＳ端末と通信可能なＰＯＳ端末通信手段と、を備え、前記ＰＯＳ端末は、前記顧客端末から前記登録された複数のカードのカード情報を取得するカード情報取得手段と、前記顧客の購入情報を前記カード決済管理サーバに送信する手段と、を備え、前記カード決済管理サーバは、複数のカード会社から、前記店舗で現時点において購入した場合の特典情報を前記カードごとに取得する顧客カード特典情報取得手段と、前記取得した特典情報及び前記カードを利用した際の、今回の利用で獲得可能な獲得ポイント数、今回の決済時に利用可能なポイント数、今回の利用で適用される割引率、次回以降で利用可能な割引額、前記カードとは別のクーポンの利用又は電子マネーの利用による割引のうち、前記顧客が設定した優先事項に基づいて、前記カードの優先順位を判定する優先順位判定手段と、前記顧客端末は、前記優先順位判定手段が判定した前記優先順位を前記カードごとに表示し、前記店舗での決済に用いるカードを前記顧客に選択させるカード選択手段と、を備え、前記カード選択手段は、前記選択されたカードの情報を含む購入情報を２次元バーコードで前記顧客端末の画面に表示させ、前記画面を前記ＰＯＳ端末にかざすことで決済を行うことを特徴とするカード決済システム。
【００１２】
（２）また、本発明は、上記（１）のシステムにおいて、前記優先順位判定手段は、前記顧客が優先事項に優先カードを設定している場合、前記優先カードの優先順位を、特典情報に関わらず、判定するようにしてもよい。
【００１４】
（３）また、本発明の第２の態様は、店舗においてカードで決済を行う顧客が携帯する顧客端末のカード決済プログラムであって、前記顧客端末を、前記顧客が保有する複数のカードの情報を登録するカード情報登録手段、前記店舗において前記登録されたカードを利用して商品又はサービスの購入代金を支払う際に、前記店舗のＰＯＳ端末と通信可能なＰＯＳ端末通信手段、複数のカード会社のサーバから、現時点で前記店舗において購入した場合の特典情報を、前記ＰＯＳ端末を介して前記カードごとに取得する顧客カード特典情報取得手段、前記取得した特典情報及び前記カードを利用した際の、今回の利用で獲得可能な獲得ポイント数、今回の決済時に利用可能なポイント数、今回の利用で適用される割引率、次回以降で利用可能な割引額、前記カードとは別のクーポンの利用又は電子マネーの利用による割引のうち、前記顧客が設定した優先事項に基づいて、前記カードの優先順位を判定する優先順位判定手段、前記優先順位判定手段が判定した前記優先順位を前記カードごとに表示し、前記店舗での決済に用いるカードを前記顧客に選択させるカード選択手段、前記カード選択手段は、前記選択されたカードの情報を含む購入情報を２次元バーコードで前記顧客端末の画面に表示させ、前記画面を前記ＰＯＳ端末にかざすことで決済を行う手段、として機能させることを特徴とする。
【００１５】
（４）また、本発明の第３の態様は、複数のカードを利用する顧客が所持する顧客端末と、カード決済管理サーバとが接続されたカード決済システムであって、前記顧客端末は、前記顧客が保有する前記複数のカードの情報を登録するカード情報登録手段と、前記カード決済管理サーバと通信可能なカード決済管理サーバ通信手段と、を備え、前記カード決済管理サーバは、前記顧客端末と通信可能な顧客端末通信手段と、複数のカード会社と通信可能なカード会社通信手段と、前記複数のカード会社から、現時点において店舗で購入した場合の特典情報を顧客のカードごとに取得する顧客カード特典情報取得手段と、を備え、前記顧客端末は、前記顧客カード特典情報取得手段が取得した特典情報及び前記カードを利用した際の、今回の利用で獲得可能な獲得ポイント数、今回の決済時に利用可能なポイント数、今回の利用で適用される割引率、次回以降で利用可能な割引額、前記カードとは別のクーポンの利用又は電子マネーの利用による割引のうち、前記顧客が設定した優先事項に基づいて、前記カードの優先順位を判定して前記カードごとに表示し、前記店舗での決済に用いるカードを前記顧客に選択させるカード選択手段を備え、前記カード選択手段は、前記選択されたカードの情報を含む購入情報を２次元バーコードで前記顧客端末の画面に表示させ、前記画面を前記店舗のＰＯＳ端末にかざすことで決済を行うことを特徴とする。
【発明の効果】
【００１６】
本発明によれば、複数のカードを携帯する必要がなく、カードでの決済時に、購入場所、購入日時、購入金額、顧客の定めた優先事項に応じて、決済に最適なカードを顧客に提案することができる。
【図面の簡単な説明】
【００１７】
【図１】本発明の実施形態に係る決済最適化サービスの基本概念を示す図である。
【図２】本発明の第１の実施形態に係るカード決済システムの機能構成を示す図である。
【図３】本発明の第１の実施形態に係るカード決済システムにおけるデータベースのデータ構成の一例を示す図である。
【図４】本発明の第１の実施形態に係るカード決済システムの全体の処理手順を示す図である。
【図５】本発明の第１の実施形態に係る顧客端末のおすすめカード提示画面の一例を示す図である。
【図６】本発明の第２の実施形態に係るカード決済システムの機能構成を示す図である。
【図７】本発明の第２の実施形態に係るカード決済システムの全体の処理手順を示す図である。
【発明を実施するための形態】
【００１８】
以下、添付図面を参照して、本発明を実施するための形態（以下、実施形態）について詳細に説明する。以降の図においては、全体を通して同じ要素には同じ番号又は符号を付している。また、機能構成の図において、機能ブロック間の矢印は、データの流れ方向、又は処理の流れ方向を表している。また、処理フロー図（フローチャート）において、各処理ステップ（処理の段階）は、必ずしも図示した順序で行う必要はなく、各ステップのインプットとアウトプットの関係を損なわない限り、処理順序を入れ替えてもよい。
【００１９】
＜基本概念＞
図１は、本発明の実施形態に係るカード決済最適化サービスの基本概念を示す図である。顧客が本発明により提供されるカード決済最適化サービス（以下、本サービスと呼ぶ）を利用するためには、まず、複数のカード（クレジットカードを主とする店舗で決済可能な電子カード）を保有する顧客は、自身が携帯する顧客端末に、上記の複数のカードのカード情報（カード番号、名義人、有効期限、セキュリティコード等）を記憶させ、登録を完了しているものとする。このとき、複数のカード情報を顧客ＩＤに紐付けて、顧客ＩＤを端末内に登録しておくようにしてもよい。
【００２０】
本サービスを利用して、顧客が店舗（カード加盟店）において、カードを利用して商品又はサービス（以下、商品等と呼ぶ）の購入代金を支払う（以下、カード決済という）ときには、以下の手順を行うものとする。
【００２１】
（１）カード決済を行うとする顧客は、自身の顧客端末上で、本サービスのカード決済のための専用のアプリケーション・プログラム（以下、単にアプリという）をインストールし、起動しておく。
（２）店舗のレジにおいて、店員がＰＯＳ(Point  of  sale)端末に、顧客が購入する商品等の購入金額を入力する。
（３）ＰＯＳ端末は、顧客端末に登録された複数のカード情報を読み取り、それらのカード情報と、商品等の情報、購入金額、店舗情報を含む購入情報をカード決済管理サーバに送信する。カード決済管理サーバは、カード決済を管理し、最適化するための情報を顧客に提供するためのサーバであり、カードごとの特典情報をカード会社から定期的にデータベースに取得している。
（４）サーバは、取得している各カードの特典情報のうち、ＰＯＳ端末から送信されてきたカードに関する特典情報を抽出し、ＰＯＳ端末に送信する。ＰＯＳ端末は受信したカード特典情報を顧客端末に転送し、アプリの画面にカードごとの特典情報を表示させる。
（５）このとき、カードの「おすすめ順」（優先順位又はおすすめ度）が判定され、おすすめ順の高いカードが画面の上位に表示される。顧客は、この画面から、決済に利用するカードを選択する。
（６）顧客がカードを選択すると、そのカード情報を含む購入情報の２次元バーコード（ＱＲコード（登録商標）とも呼ぶ）が画面に表示される。
（７）顧客がこの画面をＰＯＳ端末にかざす。
（８）ＰＯＳ端末は、かざされた画面の２次元バーコードの情報を読み取り、そこに含まれた購入情報をサーバに送信し、顧客が選択したカードでの決済を実行させる。
【００２２】
＜第１の実施形態＞
以下、本発明を実現するためのシステムについて詳しく説明する。図２は、本発明の第１の実施形態に係るカード決済システムの機能構成（機能ブロック）を示す図である。ただし、本発明に直接関係のない機能構成については図示を省略している。
【００２３】
事前準備として、顧客は、自身の携帯する顧客端末１００（典型的には、スマートフォンや携帯型のタブレット端末）に、アプリをダウンロードしておくものとする。このアプリをインストールすることにより、顧客端末１００は、図示するような、カード情報登録手段１１、カード選択手段１２、ＰＯＳ端末通信手段１３を備えることになる。
【００２４】
カード情報登録手段１１は、顧客が保有する複数のカード（以下、顧客カードと呼ぶ）のカード情報を顧客端末１００に記憶させ、登録する機能を提供する。このときの登録手段としては、カード情報をキー入力してもよいが、顧客端末に接続されたカード読み取り装置に、顧客カードをかざして（近接させて）、カード情報を読み取らせるようにしてもよい。カード情報の登録、閲覧、変更にはパスワード等の入力が必要なのは言うまでもない。カード登録時には、優先事項を設定することが望ましい。設定を省略するとデフォルトの優先事項が設定される。優先事項とは、店舗で買い物の決済をする際に、カード決済管理サーバ２００と連携して、顧客カードそれぞれに対し、現時点で付与される特典情報を比較するときに優先的に判定する項目で、例えば、ポイント優先、割引優先等があるが詳しくは後述する。
【００２５】
カード選択手段１２は、顧客カードそれぞれの特典情報を比較し、後述の優先順位判定手段が判定したおすすめ順に並べて表示し、今回の決済で利用するカードを顧客に選択させるための画面を表示させる。
【００２６】
ＰＯＳ端末通信手段１３は、ＰＯＳ端末３００との通信手段であり、近距離無線通信手段（ＮＦＣ:Near  Field  Communication）が一般的である。この近距離無線手段によって顧客端末１００をＰＯＳ端末３００の読み取り部にタッチ又は近接させることで、携帯端末のカード情報が読み取られる。ただし、セキュリティの観点から、読み取られたカード情報は暗号化され、ＰＯＳ端末には表示されず、カード決済管理サーバ２００に送信されるものとする。
【００２７】
カード決済管理サーバ２００（以下、単にサーバと呼ぶことがある）は、顧客、加盟店、カード会社の間にたって本サービスの中核となるサーバである。本サーバは、図示するように、カード会社通信手段２０１、顧客カード特典情報取得手段２０２、優先順位判定手段２０３、ＰＯＳ端末通信手段２０４及び決済処理手段２０５を備えている。本サーバは、カード会社が共同で設立する機構が構築するようにしてもよいし、銀行等の金融機関が、カード会社のシステムと接続して金融機関内のシステムに構築するようにしてもよい。特に、本サーバを銀行内に設けると、クレジットカードだけでなく、デビットカードも本サービスの対象とすることが容易になる。また、銀行が本サーバの運営主体となれば、クレジットカードの決済に、当銀行を指定してもらえることが増えると期待できる。
【００２８】
カード会社通信手段２０１は、各カード会社のシステムとのデータ交換を通信可能に制御する。また、顧客カード特典情報取得手段２０２は、カード会社通信手段２０１を介して、カードごとの特典情報を定期的（例えば１日１回）に取得し、特典情報ＤＢ２１１に格納しておく。
【００２９】
優先順位判定手段２０３は、ＰＯＳ端末３００から顧客のカード情報及びＰＯＳ端末３００が設置された店舗の情報を受信した際に、それらのカードをその店舗において現時点で利用した場合の特典情報の詳細を顧客ごとに抽出する。そして、顧客が設定した優先事項に基づいて、各カードの特典情報を比較し、各カードを利用した場合の、現時点及び現店舗での優先順位（おすすめ順）を判定する。顧客が設定した優先事項は、いつでも変更が可能である。
【００３０】
ＰＯＳ端末通信手段２０４は、ＰＯＳ端末３００とのデータ交換を通信可能に制御する。前述したように、本実施形態では、カード決済管理サーバ２００は、ＰＯＳ端末通信手段２０４を介して、顧客端末１００とのすべてのデータのやりとりを行う。
【００３１】
決済処理手段２０５は、顧客がカード選択手段１２において選択したカードを用いた決済処理を実行する。ここでカードがクレジットカードであれば、決済情報をカード会社に送信し、カードがデビットカードであれば、銀行と決済情報を連携する。
【００３２】
ＰＯＳ端末３００は、内部構成の図示は省略するが、顧客端末１００及びカード決済管理サーバ２００との通信手段を備えている。顧客端末１００との通信手段は、前述のＮＦＣであってよいが、この通信手段を介して、顧客端末１００からカード情報を取得するカード情報取得手段を有する。
【００３３】
カード決済管理サーバ２００との通信は、専用回線又はセキュアな手段を有する公衆回線を利用する。本実施形態でのＰＯＳ端末３００は、顧客端末１００とカード決済管理サーバ２００とのデータのやりとりの中継の役割も果たしている。
【００３４】
図３は、カード決済管理サーバ２００に備えられた各データベースのデータ構成の一例を示す図である。各データベースは、サーバ内部に構築してもよいし、サーバ外部に構築してサーバと接続するようにしてもよい。以下、データベースが格納するデータについて順に説明する。
【００３５】
カード会社ＤＢ２１０には、各カード会社のカード名、登録情報の更新日、特典内容が種類ごとに格納される。例えば、特典内容１は、通常のポイント付与率とし、利用金額の１％をポイントで付与する。特典内容２は、時期に応じた割り増しポイントの付与率、特典内容３は、指定商品、指定店舗での割り増しポイントの付与率等を格納する。ポイントの代わりに、請求時の割引率やクーポン券の発行等で特典を付与してもよい。
【００３６】
特典情報ＤＢ２１１には、顧客ＩＤごとに、顧客カードすべての、カード番号、カードのランク（例えば、「一般」、「シルバー」、「ゴールド」等）、及び現時点で顧客に適用される特典情報が格納される。指定店舗、指定商品の情報も格納してもよい。サーバは、一定の間隔でカード会社から最新の特典情報を取得し、そのたびに特典情報ＤＢ２１１を更新する。
【００３７】
顧客ＤＢ２１２には、顧客ＩＤごとに、顧客が設定した優先事項、登録されたカードのカード名、カード会社等が格納される。優先事項には、「獲得ポイント数」、「利用可能ポイント数」、「割引率」、「クーポンの割引額」等を設定できる。例えば、優先事項に、「獲得ポイント数」を設定すると、今回の利用で獲得可能なポイントが金額換算で多いカードほど優先順位が高くなる。また、優先事項に「利用可能ポイント数」を設定すると、購入金額から利用可能ポイントの分だけ割り引いた金額が大きいカードほど優先順位が高くなる。したがって、ポイントが多く貯まっているカードほど有利になる。ただし、実際にポイントを利用するか否かは決済に用いるカードを選択した後に行う。また、優先事項に「割引率」を設定すると、今回の利用で適用される割引率、すなわち、値引き額の大きいカードほど優先順位が高くなる。また、優先事項に「クーポンの割引額」を設定すると、次回以降で利用できるクーポンの割引額が大きいほど優先順位が高くなる。また、クレジットカードの利用とは別に、クーポンの利用又は電子マネーの利用による割引額を比較対象とし、それらの優先事項を設定してもよい。
【００３８】
また、優先事項に「優先カード」を設定することもでき、優先カードに設定されたカードは、そのときの特典情報に関わらず、優先順位を通常より高く設定することが可能である。例えば、優先カードを、後述の「おすすめカード提示画面」において、常に第１位に表示したり、通常よりも１ランク又は２ランク程度上位に表示したりするようにしてもよい。さらに、優先カードを複数指定することも可能で、例えば、第１優先カードは、第２優先カードよりも優先順位を高くする等ができる。また、優先カードが指定されていても、タイムセールスなど、より大きな特典が非優先カードを利用すると得られる場合は、そのカードのおすすめ度が上がるので、優先事項の設定しだいでは、非優先カードが最上位にくることもある。
【００３９】
なお、図３では、優先事項はすべてのカードで共通としているが、カードごとに優先事項を変えられるようにしてもよい。その場合は、各カードの特典ごとに点数を付け、更にその点数に優先事項の重み係数を掛けて、カード全体の優先順位を判定する。また、クレジットカードだけでなく、電子マネーやデビットカードの利用による特典情報に対する優先事項も加えてもよい。
【００４０】
利用実績ＤＢ２１３には、顧客ＩＤごとに、カードの利用日、利用したカード、利用金額、利用店舗等の情報が格納される。現在のカード会社のシステムの利用履歴では、１回の決済時の利用店舗と利用金額の合計が表示されるのみで、購入商品等の情報は表示されないが、本実施形態では購入商品等の情報も利用履歴に格納するようにしてもよい。
【００４１】
なお、本実施形態では、データベースはすべてサーバ側に設けたが、一部は顧客端末１００の記憶領域に保管することも可能とする。端末側でデータを保管すると、店舗に行く前であっても、どのカードが有利か、おおよその見当をつけることができる。
【００４２】
（処理手順）
図４は、本発明の第１の実施形態に係るカード決済システムの全体の処理手順を示す図である（なお、以下では構成要素の符号は省略する）。まず顧客は、レジに向かう際に顧客端末のアプリを起動しておく（ステップＳ１０）。顧客が購入する商品をレジに持ちこむと、店員がＰＯＳ端末にて購入商品、購入金額等の購入情報をバーコードリーダ等から入力する（ステップＳ１１）。このとき、顧客が端末をＰＯＳ端末にかざすと、ＰＯＳ端末は、顧客端末内に登録されたカード番号を読み取り、サーバに送信する（ステップＳ１２）。このとき、顧客ＩＤ（顧客識別子）に複数のカード番号が端末内に登録されている場合は、顧客ＩＤを読込むだけでよい。顧客ＩＤは、本システムが発行するＩＤであってもよいし、顧客端末の端末ＩＤで代用してもよい。もちろん、端末から顧客ＩＤやカード情報を読込む際には、端末のパスコード等、なんらかの認証情報が入力されているものとする。
【００４３】
サーバ側では、事前に取得しておいたカードごとの特典情報から、今回読み取った顧客カードの特典情報をカードごとに抽出する（ステップＳ１３）。次にサーバは、顧客の優先事項を参照し、おすすめ順を判定して、カードごとの特典情報とともに顧客端末に送信する（ステップＳ１４）。
【００４４】
顧客端末側では、顧客が、おすすめ順とカードごとの特典情報が表示された「おすすめカード提示画面」（図５参照）から、今回の決済に用いるカードを選択する（ステップＳ１５）。そして、顧客端末は、選択されたカードで決済するための必要な情報（決済情報）を含んだ２次元バーコードを生成する（ステップＳ１６）。顧客がこの２次元バーコードが表示された画面をＰＯＳ端末にかざすと、ＰＯＳ端末がその情報を読み取り、決済情報をサーバに送信する（ステップＳ１７）。そして、サーバ側で決済情報をカード発行元に送信して最終的な決済処理を行う（ステップＳ１８）。
【００４５】
最後に、サーバが今回のカードの利用情報を利用履歴ＤＢに書き込むようにしてもよい（ステップＳ１９）。カードの利用履歴は、通常はカード会社が、利用明細を顧客に送るために、カード会社側のデータベースに記録される。本システムのサーバが保管する利用履歴には、顧客に提示したすべてのカードの情報と、実際に選択されたカードの情報、購入商品、購入店舗の情報を保管することが望ましい。このようなデータを統計的に処理すれば、顧客がカードを選択する際の理由を調査することができる。また、カードの利用データをカード会社に依存せず蓄積することでき、マーケティングの分析にも役立てることが可能となる。
【００４６】
（表示画面）
図５は、本発明の第１の実施形態に係る顧客端末の「おすすめカード提示画面」の一例を示す図である。図示するように、この画面では、利用店舗と購入金額とともに、顧客カードのおすすめ順に、カードの特典内容の詳細が表示される。おすすめ順は、顧客が設定した優先事項に基づいて判定されるが、この例では、割引額を優先事項に設定していることが表示されている。この画面上で顧客が優先事項を変更可能としてもよい。例えば、獲得ポイントを優先事項に変更したい場合は、該当するボタンを押すと、おすすめ順が判定し直され、カードの表示順位が変更される。その後、変更した優先事項をデフォルトとして登録してもよいし、登録は変更せずに、一時的に使用するだけでもよい。
【００４７】
上記の本システムの機能構成は、あくまで一例であり、一つの機能ブロック（データベース及び機能処理部）を分割したり、複数の機能ブロックをまとめて一つの機能ブロックとして構成したりしてもよい。各機能処理部は、装置に内蔵されたＣＰＵ（Central  Processing  Unit）が、ＲＯＭ（Read  Only  Memory）又はハードディスク等の記憶装置に格納されたコンピュータ・プログラムを読み出し、ＣＰＵにより実行されたコンピュータ・プログラムがコンピュータを各手段として機能させる。すなわち、各機能処理部は、このコンピュータ・プログラムが、記憶装置に格納されたデータベース（ＤＢ:Data  Base)やメモリ上の記憶領域からテーブル等の必要なデータを読み書きし、場合によっては、関連するハードウェア（例えば、入出力装置、表示装置、通信インターフェース装置）を制御することによって実現される。また、本発明の実施形態におけるデータベース（ＤＢ）は、商用データベースであってよいが、単なるテーブルやファイルの集合体をも意味し、データベースの内部構造自体は問わないものとする。
【００４８】
＜第２の実施形態＞
本発明は、様々な実施形態で実現することができるが、別の実施形態の例として、第２の実施形態について説明する。第１の実施形態では、顧客端末１００は、ＰＯＳ端末３００を介して、カード決済管理サーバ２００とデータのやりとりを行うように構成したが、第２の実施形態では、顧客端末がサーバとインターネットを介して直接データのやりとりすることが可能となる。
【００４９】
図６は、第２の実施形態に係るカード決済システムの機能構成（機能ブロック）を示す図である。以下では、第１の実施形態と異なる部分のみ説明する。
【００５０】
本実施形態の顧客端末１００Ａとカード決済管理サーバ２００Ａは、互いに直接通信が可能なように、それぞれカード決済管理サーバ通信手段１４と顧客端末通信手段２０６を新たに備える（図の太線で示す）。この通信手段は、インターネット接続であってよく、一般的なＬ３／Ｌ４又はＷｉ−Ｆｉ（登録商標）が用いられる。この通信手段を備えることで、顧客端末１００Ａとカード決済管理サーバ２００Ａは、必ずしもＰＯＳ端末３００経由で情報のやりとりを行う必要がなくなる。例えば、図示するようにカード情報登録手段１１Ａからカード決済管理サーバ通信手段１４を使って登録された顧客カードの番号又は顧客ＩＤをサーバに送信すれば、店舗で買い物をする前に、事前にカードの特典情報を比較することができる。
【００５１】
また、本実施形態では、サーバ側にあった優先順位判定手段２０３（図２参照）を顧客端末１００Ａのカード選択手段１２Ａの機能の一部として設けてもよい。こうすることで、特典情報の取得や優先事項の設定が店舗に行かなくてもできるので、サーバとのやりとりだけで、自宅等で、様々な条件を設定し、お得なカード、お得な店舗、お得な時期を調べることが可能となる。
【００５２】
もちろん、第１の実施形態と同様に、店舗のＰＯＳ端末３００経由でサーバと通信することも可能である。ＰＯＳ端末経由の通信では、実際に店舗で買い物する場合なので、店舗情報や購入情報を入力する手間が必要なく、既に説明したように、カードの選択から決済までが簡単に行える。
【００５３】
図７は、本発明の第２の実施形態に係るカード決済システムの全体の処理手順を示す図である。ここでは図４と同様に、店舗での決済時を想定している。ステップＳ１０、ステップＳ１１、ステップＳ１３及びステップＳ１５〜Ｓ１９は、図４と全く同じである。
【００５４】
ステップＳ１２Ａでは、カード選択前に顧客端末をＰＯＳ端末にかざす必要はなく、顧客端末から、所定の操作をすることで、登録されたカード情報又は顧客ＩＤがサーバに送信される。また、ステップＳ１４では、サーバからおすすめ順を送信されるのではなく、顧客端末が、サーバが抽出した特典情報を元に、端末内部に保管された優先事項を参照し、おすすめ順を判定して画面に表示する。
【００５５】
なお、第１の実施形態と第２の実施形態は、互いに排他的ではなく、両者を組み合わせた変形例も可能である。
【００５６】
（実施形態の効果）
以上、本発明の実施形態の効果をまとめると以下のようになる。第１に、顧客端末のカード情報を登録することで、多くのカードを携帯する必要がなくなる。そして、カードでの決済時には、購入場所、購入日時、購入金額、顧客の定めた優先事項に応じて、決済に最適なカードを顧客におすすめカード提示画面で提案することが可能となる。
【００５７】
第２に、顧客が表示されたおすすめカード提示画面から、カードを選択すると、決済情報を含む２次元バーコードの面画が生成されるので、その画面をＰＯＳ端末にかざすだけで、選択したカードでの決済を簡単に済ますことができる。
【００５８】
第３に、おすすめカードの判定は、単純にポイントを比較するのでなく、カードを実際に店舗で利用した際の、獲得される獲得ポイント数、今回の決済時に利用可能なポイント数、今回の利用で適用される割引率、次回以降で利用可能な割引額、そのカードとは別のクーポンの利用又は電子マネーの利用による割引のうち、顧客が設定した優先事項に基づいて行われるので様々な条件を顧客の意向に沿ったかたちで行われる。また、クレジットカードの利用による特典の優先事項はもちろん、電子マネー等の他のカードの利用による特典も比較対象とし、優先事項を設定することができる。
【００５９】
第４に、優先事項として優先カードを顧客が設定することができ、優先カードとして設定されたカードは、特典情報に関わらずに、おすすめ度を設定することができる。
【００６０】
また、おすすめ度の判定はサーバ側で行ってもよく、顧客端末側で行ってもよい。特に顧客端末側で行う場合は、実際に店舗に行かなくても、事前にお得なカードを調べることができる。
【００６１】
なお、発明の実施形態におけるカードを、クレジットカードを中心に説明したが、その他のカードとして、デビットカードやポストペイ型の電子マネーカードにも適用可能である。
【００６２】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。なお、上記の実施形態では、本発明を物の発明としてカード決済システムについて説明したが、本発明は、装置の発明（カード決済管理サーバ）、顧客端末のコンピュータ・プログラムであるアプリの発明（カード決済プログラム）、方法の発明（カード決済方法）、としても捉えることもできる。
【符号の説明】
【００６３】
１００，１００Ａ  顧客端末
１１，１１Ａ  カード情報登録手段
１２，１２Ａ  カード選択手段
１３  ＰＯＳ端末通信手段
１４  カード決済管理サーバ通信手段
２００，２００Ａ  カード決済管理サーバ
２０１  カード会社通信手段
２０２  顧客カード特典情報取得手段
２０３  優先順位判定手段
２０４  ＰＯＳ端末通信手段
２０５  決済処理手段
２０６  顧客端末通信手段
２１０  カード会社ＤＢ
２１１  特典情報ＤＢ
２１２  顧客ＤＢ
２１３  利用実績ＤＢ
３００  ＰＯＳ端末
【図１】
0006300382.tif 000002
【図２】
0006300382.tif 000003
【図３】
0006300382.tif 000004
【図４】
0006300382.tif 000005
【図５】
0006300382.tif 000006
【図６】
0006300382.tif 000007
【図７】
0006300382.tif 000008